(57)【要約】【課題】病院などに行くことなく、栄養士による栄養指導を受けることができる。【解決手段】栄養士端末１００および会員端末３００とネットワークを介して接続される栄養指導支援装置２００であって、食事に含まれる各食品の色ごとの品目数についての入力を受け付ける食事情報入力画面を会員端末３００に提供する表示処理部２２０を有することで、会員が、病院などに行くことなく、栄養士による栄養指導を受けることができる。【選択図】図１
2018063503.tif 000002
【特許請求の範囲】
【請求項１】
栄養士端末および会員端末とネットワークを介して接続される栄養指導支援装置であって、
食事に含まれる各食品の色ごとの品目数についての入力を受け付ける食事情報入力画面を前記会員端末に提供する表示処理部を有する、栄養指導支援装置。
【請求項２】
請求項１に記載の栄養指導支援装置において、
前記表示処理部は、会員が食事を取った日付と、会員が食事を取った時刻と、食事が朝食・昼食・夕食のいずれであるかを示す食事種別と、前記栄養士または会員により入力されるコメントと、前記食事に含まれる各食品の色ごとの品目数と、食事写真と、前記会員の排便結果との少なくともいずれか一つ以上の入力を受け付ける食事情報入力画面を前記会員端末に提供する、栄養指導支援装置。
【請求項３】
請求項１に記載の栄養指導支援装置において、
前記表示処理部は、会員が食事を取った日付と、会員が食事を取った時刻と、食事が朝食・昼食・夕食のいずれであるかを示す食事種別と、前記栄養士または会員により入力されるコメントと、前記食事に含まれる各食品の色ごとの品目数と、食事写真と、前記会員の排便結果との少なくともいずれか一つ以上を含むチャット画面を前記会員端末に提供する、栄養指導支援装置。
【請求項４】
請求項１に記載の栄養指導支援装置において、
前記表示処理部は、会員の気分と、会員が歩いた歩数と、会員の体重と、会員の行動目標と、会員のコメントとの少なくともいずれか一つ以上の入力を受け付ける実施状況入力画面を前記会員端末に提供する、栄養指導支援装置。
【請求項５】
請求項１に記載の栄養指導支援装置において、
前記表示処理部は、日付と、会員の気分と、会員が１日の間に歩いた歩数と、会員の体重と、会員の行動目標と、会員のコメントと、食事写真と、前記食事写真の食事に含まれる各食品の色ごとの品目数と、前記会員の排便結果との少なくともいずれか一つ以上を含む日別状況表示画面を前記会員端末に提供する、栄養指導支援装置。
【請求項６】
請求項１に記載の栄養指導支援装置において、
前記表示処理部は、月における体重の推移を示す体重推移グラフと、月における歩数の推移を示す歩数推移グラフと、前記食事に含まれる各食品の色ごとの品目数の合計値を示す色チェック結果合計値推移グラフと、月を構成する日付ごとの、気分と、体重と、歩数と、前記食事に含まれる各食品の色ごとの品目数、食事写真との少なくともいずれか一つ以上を含む月間実施状況表示画面を前記会員端末に提供する、栄養指導支援装置。
【請求項７】
栄養士端末と、前記栄養士端末とネットワークを介して接続される栄養指導支援装置と、前記栄養指導支援装置とネットワークを介して接続される会員端末と、を有する栄養指導支援システムであって、
前記栄養指導支援装置は、食事に含まれる各食品の色ごとの品目数についての入力を受け付ける食事情報入力画面を前記会員端末に提供する表示処理部を有する、
栄養指導支援システム。
【請求項８】
栄養士端末および会員端末とネットワークを介して接続される栄養指導支援装置における栄養指導支援方法であって、
表示処理部が、食事に含まれる各食品の色ごとの品目数についての入力を受け付ける食事情報入力画面を前記会員端末に提供する食事情報入力画面提供方法を有する、栄養指導支援方法。
【発明の詳細な説明】
【技術分野】
【０００１】
本発明は、栄養指導支援装置および栄養指導支援システムならびに栄養指導支援方法に関する。
【背景技術】
【０００２】
我が国の現状として、生活習慣病が急速に拡大しており、その根本的な原因である生活習慣の改善が進まないという問題がある。
【０００３】
特開２０００−３４８０１３号公報（特許文献１）には、栄養指導に利用するデータ及びそのデータに基づいた栄養指導の記録を管理することが可能であり、栄養指導を効率的且つ容易に行なうことが可能な栄養指導システムが記載されている。
【先行技術文献】
【特許文献】
【０００４】
【特許文献１】特開２０００−３４８０１３号公報
【発明の概要】
【発明が解決しようとする課題】
【０００５】
特許文献１に記載されている技術では、栄養指導を効率的且つ容易に行なうことが可能になる。
【０００６】
しかしながら、特許文献１に記載されている技術は、患者が病院内で栄養指導を受ける事を前提としている。そのため、特許文献１に記載されている技術では、栄養指導に際して、栄養士と患者とが所定の場所（例えば病院）にて直接面会しなければならないという問題があった。
本発明の目的は、病院などに行くことなく、栄養士による栄養指導を受けることを可能にする技術を提供することである。
【課題を解決するための手段】
【０００７】
本願において開示される発明のうち、代表的なものの概要を簡単に説明すれば、次の通りである。
【０００８】
本発明の一実施の形態の栄養指導支援装置は、栄養士端末および会員端末とネットワークを介して接続される栄養指導支援装置であって、食事に含まれる各食品の色ごとの品目数についての入力を受け付ける食事情報入力画面を前記会員端末に提供する表示処理部を有する。
【０００９】
また、本発明の一実施の形態の栄養指導支援システムは、栄養士端末と、前記栄養士端末とネットワークを介して接続される栄養指導支援装置と、前記栄養指導支援装置とネットワークを介して接続される会員端末と、を有する栄養指導支援システムであって、前記栄養指導支援装置は、食事に含まれる各食品の色ごとの品目数についての入力を受け付ける食事情報入力画面を前記会員端末に提供する表示処理部を有する。
【００１０】
また、本発明の一実施の形態の栄養指導支援方法は、栄養士端末および会員端末とネットワークを介して接続される栄養指導支援装置における栄養指導支援方法であって、表示処理部が、食事に含まれる各食品の色ごとの品目数についての入力を受け付ける食事情報入力画面を前記会員端末に提供する食事情報入力画面提供方法を有する。
【発明の効果】
【００１１】
本願において開示される発明のうち、代表的なものによって得られる効果を簡単に説明すれば以下のとおりである。
本発明の代表的な実施の形態によれば、病院などに行くことなく、栄養士による栄養指導を受けることができる。
【図面の簡単な説明】
【００１２】
【図１】本発明の一実施の形態における、栄養指導支援システムの全体構成例の概要を示す図である。
【図２】本発明の一実施の形態における、会員情報記憶部に記憶されている会員情報の概要を示す図である。
【図３】本発明の一実施の形態における、アンケート情報記憶部に記憶されているアンケート情報の概要を示す図である。
【図４】本発明の一実施の形態における、栄養士情報記憶部に記憶されている栄養士情報の概要を示す図である。
【図５】本発明の一実施の形態における、食事情報記憶部に記憶されている食事情報の概要を示す図である。
【図６】本発明の一実施の形態における、実施状況記憶部に記憶されている実施状況の概要を示す図である。
【図７】本発明の一実施の形態における、栄養指導支援装置により提供されるメニュー画面の例を示す図である。
【図８】本発明の一実施の形態における、栄養指導支援装置により提供されるチャット画面の例を示す図である。
【図９】本発明の一実施の形態における、栄養指導支援装置により提供される食事情報入力画面の例を示す図である。
【図１０】本発明の一実施の形態における、栄養指導支援装置により提供される実施状況入力画面の例を示す図である。
【図１１】本発明の一実施の形態における、栄養指導支援装置により提供される実施状況確認画面の構成例の概要を示す図である。
【図１２】本発明の一実施の形態における、栄養指導支援装置により提供される月間状況表示画面の構成例の概要を示す図である。
【図１３】本発明の一実施の形態における、栄養指導支援装置により提供される日別状況表示画面の構成例の概要を示す図である。
【図１４】本発明の一実施の形態における、食事情報アップロード処理の構成例の概要を示す図である。
【図１５】本発明の一実施の形態における、日別実施状況表示処理の概要を示す図である。
【図１６】本発明の一実施の形態における、月別実施状況表示処理の概要を示す図である。
【発明を実施するための形態】
【００１３】
以下、本発明の実施の形態を図面に基づいて詳細に説明する。なお、実施の形態を説明するための全図において、同一部には原則として同一の符号を付し、その繰り返しの説明は省略する。
＜システム構成＞
【００１４】
図１は、本発明の一実施の形態における、栄養指導支援システム１０の全体構成例の概要を示す図である。図１に示されるように、栄養指導支援システム１０は、複数の栄養士端末１００と、栄養士端末１００とネットワークを介して接続される栄養指導支援装置２００と、栄養指導支援装置２００とネットワークを介して接続される複数の会員端末３００と、栄養士指導支援装置２００とネットワークを介して接続される管理者端末４００とを有する。
【００１５】
栄養指導支援装置２００は、情報処理部２１０と、表示処理部２２０と、会員情報記憶部（後述、図２）２３０と、アンケート情報記憶部（後述、図３）２４０と、栄養士情報記憶部（後述、図４）２５０と、食事情報記憶部（後述、図５）２６０と、実施状況記憶部（後述、図６）２７０とを有する。また、栄養指導支援装置２００は、栄養士端末１００および会員端末３００とネットワークを介して接続される。
【００１６】
表示処理部２２０は、食事に含まれる各食品の色ごとの品目数についての入力を受け付ける食事情報入力画面（後述、図９）を会員端末３００に提供する。詳細には、表示処理部２２０は、会員が食事を取った日付と、会員が食事を取った時刻と、食事が朝食・昼食・夕食のいずれであるかを示す食事種別と、栄養士または会員により入力されるコメントと、食事に含まれる各食品の色ごとの品目数と、食事写真と、会員の排便結果との少なくともいずれか一つ以上の入力を受け付ける食事情報入力画面を会員端末３００に提供する。
【００１７】
また、表示処理部２２０は、会員が食事を取った日付と、会員が食事を取った時刻と、食事が朝食・昼食・夕食のいずれであるかを示す食事種別と、栄養士または会員により入力されるコメントと、食事に含まれる各食品の色ごとの品目数と、食事写真と、会員の排便結果との少なくともいずれか一つ以上を含むチャット画面（後述、図８）を生成する。そして、表示処理部２２０は、生成したチャット画面を要求に応じて栄養士端末１００、会員端末３００、管理者端末４００に提供する。
【００１８】
また、表示処理部２２０は、会員の気分と、会員が歩いた歩数と、会員の体重と、会員の行動目標と、会員のコメントとの少なくともいずれか一つ以上の入力を受け付ける実施状況入力画面（後述、図１０）生成する。そして、表示処理部２２０は、生成した実施状況入力画面を要求に応じて会員端末３００に提供する。
【００１９】
また、表示処理部２２０は、日付と、会員の気分と、会員が１日の間に歩いた歩数と、会員の体重と、会員の行動目標と、会員のコメントと、食事写真と、食事写真の食事に含まれる各食品の色ごとの品目数と、会員の排便結果との少なくともいずれか一つ以上を含む日別状況表示画面（後述、図１３）生成する。そして、表示処理部２２０は、生成した日別実施状況表示画面を要求に応じて栄養士端末１００、会員端末３００、管理者端末４００に提供する。
【００２０】
また、表示処理部２２０は、月における体重の推移を示す体重推移グラフと、月における歩数の推移を示す歩数推移グラフと、食事に含まれる各食品の色ごとの品目数の合計値を示す色チェック結果合計値推移グラフと、月を構成する日付ごとの、気分と、体重と、歩数と、食事に含まれる各食品の色ごとの品目数と、食事写真との少なくともいずれか一つ以上を含む月間実施状況表示画面（後述、図１２）を生成する。そして、表示処理部２２０は、生成した月間実施状況表示画面を要求に応じて栄養士端末１００、会員端末３００、管理者端末４００に提供する。
【００２１】
また、表示処理部２２０は、メニュー画面（後述、図７）、実施状況確認画面（後述、図１１）を要求に応じて栄養士端末１００、会員端末３００、管理者端末４００に提供する。
【００２２】
会員情報記憶部（後述、図２）２３０には、会員についての会員情報が記憶されている。会員情報は、会員端末３００を介して、例えば会員が初回に栄養指導支援装置２００の利用を開始する際などに入力される。
【００２３】
アンケート情報記憶部（後述、図３）２４０には、会員端末３００のディスプレイに表示されるアンケート入力画面（不図示）を介して入力されるアンケート情報が記憶される。
【００２４】
栄養士情報記憶部（後述、図４）２５０には、栄養士についての栄養士情報が記憶されている。栄養士情報は、管理者端末４００を介して、例えば栄養士が初回に栄養指導支援装置２００に栄養指導をする栄養士として登録される際に入力される。
【００２５】
食事情報記憶部（後述、図５）２６０には、会員の日々の食事の内容についての食事情報が記憶されている。食事情報は、会員端末３００のディスプレイに表示される食事情報入力画面を介して入力される。情報処理部２１０は、会員端末３００のディスプレイに表示される食事情報入力画面を介して入力を受け付けた、会員識別情報と、日時と、食事種別と、コメントと、色チェック結果と、排便結果と、食事写真とを対応付けて、食事情報記憶部２６０に記憶する。
【００２６】
実施状況記憶部（後述、図６）２７０には、会員が目標達成のために行っている活動全般についての実施状況が記憶されている。実施状況は、会員端末３００のディスプレイに表示される実施状況入力画面を介して、入力される。情報処理部２１０は、会員端末３００のディスプレイに表示される実施状況入力画面を介して入力を受け付けた、日付と、会員の気分と、会員が１日に歩いた歩数と、会員の体重と、会員の行動目標と、会員のコメントとを対応付けて実施状況記憶部２７０に記憶する。
【００２７】
会員端末３００は、ディスプレイにメニュー画面、チャット画面、食事情報入力画面、実施状況入力画面、実施状況確認画面、月間実施状況表示画面、日別状況表示画面を表示する。
【００２８】
なお、栄養士端末１００、管理者端末４００についても同様に、ディスプレイに栄養指導支援装置２００から提供されるメニュー画面、チャット画面、実施状況確認画面、月間実施状況表示画面、日別状況表示画面を表示する。
＜会員情報記憶部＞
【００２９】
図２は、本発明の一実施の形態における会員情報記憶部２３０に記憶されている会員情報の概要を示す図である。図２に示されるように、会員情報は、[会員識別情報]、[会員ニックネーム]、[ステータス]、[栄養士識別情報]、[提供期間]などのデータ項目を含む。
【００３０】
[会員識別情報]は、会員を識別するための符号を示す。[会員ニックネーム]は、会員のニックネームを示す。なお、ニックネームに替えて会員の氏名としても良い。[ステータス]は、例えば、準備中（栄養指導のプランを購入する準備中であることを示す）や、提供中（栄養指導を提供中であることを示す）や、終了（栄養指導が終了したことを示す）や、中止（トラブルなどによって、強制的に栄養指導が中止されたことを示す）などがある。[栄養士識別情報]は、栄養士を識別するための符号を示す。[提供期間]は、栄養指導が提供される期間を示す。
＜アンケート情報記憶部＞
【００３１】
図３は、本発明の一実施の形態におけるアンケート情報記憶部２４０に記憶されているアンケート情報の概要を示す図である。図３に示されるように、アンケート情報は、[会員識別情報]と、[目標]と、[目標体重]と、[身長]と、[飲酒情報]と、[排便結果]と、[野菜摂取情報]を含む。アンケート情報は、栄養指導が開始する前に会員により事前に入力される。
【００３２】
[目標]は、栄養指導が終了するまでの期間（例えば、３ヶ月）に達成したい会員の目標の内容を示す。[目標体重]は、栄養指導が終了した時点での会員の目標体重を示す。[身長]は、会員の身長を示す。[飲酒情報]は、飲酒の頻度と、飲酒量から構成される。飲酒の頻度としては、「ほぼ毎日」、「週に４〜５日」、「週に２〜３日」、「週に１度」、「ごくたまに」、「全く飲まない」などが該当する。また、飲酒量としては、「ビール５００ｍｌ１本、日本酒１合と比べて多い」「ビール５００ｍｌ１本、日本酒１合と同程度」「ビール５００ｍｌ１本、日本酒１合と比べて少ない」「ビール５００ｍｌ１本、日本酒１合と比べてかなり多い」などが該当する。[排便結果]は、排便の頻度と、排便の状態とから構成される。排便の頻度としては、「毎日」、「１日おき」、「２〜３日おき」、「それ以上に間隔がある」などが該当する。また、排便の状態としては、「下痢気味」、「普通」、「固い」、「その他」などが該当する。[野菜摂取情報]としては、「毎食」、「だいたい毎食」、「１日に１回」、「２〜３日に１回」、「あまり摂らない」などが該当する。
なお、上記以外に、会員が健康に良いと思って日々実践している内容などについて入力を受け付けるようにしても良い。
＜栄養士情報記憶部＞
【００３３】
図４は、本発明の一実施の形態における栄養士情報記憶部２５０に記憶されている栄養士情報の概要を示す図である。図４に示されるように、栄養士情報は、[栄養士識別情報]と、[栄養士ニックネーム]、[会員識別情報]などのデータ項目を含む。
[栄養士ニックネーム]は、栄養士のニックネームを示す。なお、ニックネームに替えて栄養士の氏名としても良い。
＜食事情報記憶部＞
【００３４】
図５は、本発明の一実施の形態における食事情報記憶部２６０に記憶されている食事情報の概要を示す図である。図５に示されるように、食事情報は、[会員識別情報]、[日付]、[時刻]、[食事種別]、[コメント]、[五色チェック結果]、[排便結果]、[食事写真]などのデータ項目を含む。
【００３５】
[日付]は、会員が食事を取った日付を示す。[時刻]は、会員が食事を取った時刻を示す。[食事種別]は、食事が朝食・昼食・夕食のいずれであるかを示す。[コメント]は、栄養士または会員により入力されるコメントの内容を示す。色チェック結果の一例である[五色チェック結果]は、食品を５色（赤・白・黄・緑・黒）の色で分類した場合における、食事に含まれる各食品の色ごとの品目数を示す。[排便結果]は、食事を取った前後１〜４時間の間に、会員が排便したか否かを示す。なお、[排便結果]は、直近１〜４時間以内の便の状況について示しても良い。例えば、[排便結果]は、下痢や、軟便や、赤っぽい便や、黒い便や、緑色の便や、白い便である場合に「×」が入力され、便の状態が良い場合は「○」が入力される。[食事写真]は、会員により取られた食事の写真を表示するための画像データである。なお、食事の写真は会員により撮像される。
＜実施状況記憶部＞
【００３６】
図６は、本発明の一実施の形態における実施状況記憶部２７０に記憶されている実施状況の概要を示す図である。図６に示されるように、実施状況は、[会員識別情報]、[日付]、 [気分]、[歩数]、[体重]、[行動目標]、[コメント]などのデータ項目を含む。
【００３７】
[日付]は、実施状況に係る日付を示す。[気分]は、会員の気分（気分が、かなり良い・良い・普通・悪い・かなり悪いなどが該当する。）を示す。[歩数]は、会員が１日（実施状況に係る日）に歩いた歩数の総数を示す。[体重]は、実施状況に係る日の会員の体重を示す。[行動目標]と、実施状況に係る日の会員の行動目標の内容を示す。[コメント]は、実施状況に関する内容について、会員から入力されるコメントの内容を示す。
＜メニュー画面＞
図７は、本発明の一実施の形態における、栄養指導支援装置２００により提供されるメニュー画面の例を示す図である。
【００３８】
図７に示されるように、メニュー画面には、栄養士の識別するための栄養士識別情報（図中、ＩＤ）と、栄養士の名称と、提供期間と、ステータスと、チャット開始ボタン７１０と、実施状況入力開始ボタン７２０と、支援内容確認開始ボタン７３０と、アンケート入力開始ボタン７４０と、評価シート確認ボタン７５０とが表示される。
チャット開始ボタン７１０が押下されると、会員端末３００のディスプレイにはチャット画面（後述、図８）が表示される。
実施状況入力開始ボタン７２０が押下されると、会員端末３００のディスプレイには実施状況入力画面（後述、図１０）が表示される。
【００３９】
アンケート入力開始ボタン７４０が押下されると、会員端末３００のディスプレイにはアンケートの内容についての入力を受け付けるためのアンケート入力画面（不図示）が表示される。
【００４０】
評価シート確認ボタン７５０が押下されると、会員端末３００のディスプレイには栄養士により作成される栄養指導の評価シート（栄養指導に対する会員と取組などを評価するもの）を確認させるための評価シート確認画面（不図示）が表示される。
＜チャット画面＞
図８は、本発明の一実施の形態における、栄養指導支援装置２００により提供されるチャット画面の例を示す図である。
【００４１】
図８に示されるように、チャット画面には、アップロード開始ボタン８１０と、実施状況入力開始ボタン８２０と、スタンプ投稿ボタン８３０と、コメント入力欄８４０と、コメント表示欄８５０とが表示される。また、コメント入力欄８４０に隣接して送信ボタン８４１が表示される。
アップロード開始ボタン８１０が押下されると、会員端末３００のディスプレイには、実施状況入力画面（後述、図１０）が表示される。
実施状況入力開始ボタン８２０が押下されると、会員端末３００のディスプレイには実施状況確認画面（後述、図１１）が表示される。
【００４２】
スタンプ投稿ボタン８３０が押下されると、会員端末３００のディスプレイには、コメント表示欄８５０にスタンプを投稿するためのスタンプ投稿画面（不図示）が表示される。スタンプ投稿画面には、複数のスタンプが表示される。そして、スタンプ投稿画面を介して選択されたスタンプが、コメント表示欄８５０に投稿され表示される。
【００４３】
コメント入力欄８４０には、コメント（文字情報）８６１の入力を受け付ける。コメント入力欄にコメント８６１が入力された後に、送信ボタン８４１が押下されると、コメント入力欄に入力されたコメント８６１がコメント表示欄８５０に投稿され表示される。
【００４４】
コメント表示欄には、コメント８６１と、食事写真８６２と、五色チェック結果８６３と、排便結果８６４とが表示される。なお、食事写真８６２と、五色チェック結果８６３と、排便結果８６４とは、アップロード開始ボタン８１０が押下された後に後述する食事情報入力画面を介して入力される。
【００４５】
また、コメント表示欄８５０には、いいねボタン８５１と、削除ボタン８５２とが表示される。削除ボタン８５２が押下されることで、コメント表示欄８５０に投稿された各種情報がすべて消去される。いいねボタン８５１が押下されると、いいねボタン８５１の表示態様は、押下される前の第１の表示態様から第２の表示態様へと変化する。
＜食事情報入力画面＞
図９は、本発明の一実施の形態における、栄養指導支援装置２００により提供される食事情報入力画面の例を示す図である。
【００４６】
図９に示されるように、食事情報入力画面には、日時入力欄９１０と、食事が朝食・昼食・夕食のいずれであるかを示す食事種別入力欄９２０と、食事写真を選択する入力を受け付ける食事写真選択ボタン９３０と、コメント入力欄９４０と、五色チェック結果入力ボタン９５０と、排便結果入力ボタン９６０と、送信ボタン９７０とが表示される。
日時入力欄９１０は、食事をした日時の入力を受け付ける。食事種別入力欄９２０は、食事が朝食・昼食・夕食・間食・夜食のいずれであるかについての入力を受け付ける。
【００４７】
食事写真選択ボタン９３０が押下されると、会員端末３００のディスプレイには、写真（画像ファイル）が一覧で表示される写真選択画面（不図示）が表示される。より詳細には、写真選択画面には、会員端末３００に保存されている写真が一覧で表示される。写真選択画面を介して写真が選択されることで、会員端末３００は、食事写真を選択するための入力を受け付ける。
【００４８】
五色チェック結果入力ボタン９５０は、赤色の食材を摂取した品目数（０品目〜２品目）についての入力を受け付ける赤色食材数入力ボタン９５１と、白色の食材を摂取した品目数（０品目〜２品目）についての入力を受け付ける白色食材数入力ボタン９５２と、黄色の食材を摂取した品目数（０品目〜２品目）についての入力を受け付ける黄色食材数入力ボタン９５３と、緑色の食材を摂取した品目数（０品目〜２品目）についての入力を受け付ける緑色食材数入力ボタン９５４と、黒色の食材を摂取した品目数（０品目〜２品目）についての入力を受け付ける黒色食材数入力ボタン９５５とにより構成される。
【００４９】
排便状況入力ボタン９６０は、直近１〜４時間以内の排便の有無についての入力を受け付ける。なお、排便状況入力ボタン９６０が、直近１〜４時間以内の便の状況について入力を受け付けても良い。例えば、下痢や、軟便や、赤っぽい便や、黒い便や、緑色の便や、白い便である場合に「×」の入力を受けつけ、それ以外の健康な便である場合には「○」の入力を受け付ける。
【００５０】
送信ボタン９７０が押下されると、日時入力欄９１０に入力された日時と、食事種別入力欄９２０に入力された食事種別と、食事写真選択ボタン９３０が押下されることによって選択された食事写真と、コメント入力欄９４０に入力されたコメントと、五色チェック結果入力ボタン９５０が押下されることで入力された五色チェック結果と、排便結果入力ボタン９６０が押下されることで入力される排便結果とが、チャット画面（前述、図８）のコメント表示欄に投稿される。
【００５１】
また、送信ボタン１０７０が押下されると、会員端末３００は、日時入力欄９１０に入力された日時と、食事種別入力欄９２０に入力された食事種別と、食事写真選択ボタン９３０が押下されることによって選択された食事写真と、コメント入力欄９４０に入力されたコメントと、五色チェック結果入力ボタン９５０が押下されることで入力された五色チェック結果と、排便結果入力ボタン９６０が押下されることで入力される排便結果と栄養指導支援装置２００へ送信する。
＜実施状況入力画面＞
図１０は、本発明の一実施の形態における、栄養指導支援装置２００により提供される実施状況入力画面の例を示す図である。
【００５２】
図１０に示されるように、実施状況入力画面には、日付入力欄１０１０と、気分が、かなり良い・良い・普通・悪い・かなり悪いのいずれであるかを示す気分入力欄１０２０と、歩数の入力を受け付ける歩数入力欄１０３０と、体重の入力を受け付ける体重入力欄１０４０と、行動目標を選択するための入力を受け付ける行動目標選択欄１０５０と、コメントの入力を受け付けるコメント入力欄１０６０と、送信ボタン１０７０とが表示される。
【００５３】
送信ボタン１０７０が押下されると、日付入力欄１０１０に入力された日付と、気分入力欄１０２０に入力された気分と、歩数入力欄１０３０に入力された歩数と、体重入力欄１０４０に入力された体重と、行動目標選択欄１０５０に入力された行動目標と、コメント入力欄１０６０に入力されたコメントとが、チャット画面（前述、図８）のコメント欄に投稿される。
【００５４】
また、送信ボタン１０７０が押下されると、会員端末３００は、日付入力欄１０１０に入力された日付と、気分入力欄１０２０に入力された気分と、歩数入力欄１０３０に入力された歩数と、体重入力欄１０４０に入力された体重と、行動目標選択欄１０５０に入力された行動目標と、コメント入力欄１０６０に入力されたコメントとを栄養指導支援装置２００へ送信する。
＜実施状況確認画面＞
【００５５】
図１１は、本発明の一実施の形態における、栄養指導支援装置２００により提供される実施状況確認画面の構成例の概要を示す図である。図１１に示されるように、実施状況確認画面は、各月に対応する複数の月間実施状況表示ボタン１１１０と、日ごとに対応する複数の日別実施状況表示ボタン１１２０とが表示される。
【００５６】
月間実施状況表示ボタン１１１０は、栄養指導期間を構成する月ごとに表示される。例えば、栄養指導期間が２０１６年６月〜２０１６年８月までである場合、２０１６年６月に対応する月間実施状況表示ボタン１１１０と、２０１６年７月に対応する月間実施状況表示ボタン１１１０と、２０１６年８月に対応する月間実施状況表示ボタン１１１０とが表示される。月間実施状況表示ボタン１１１０が押下されると、押下された月間実施状況表示ボタン１１１０の月と対応する月間状況表示画面（後述、図１２）が表示される。
【００５７】
日別実施状況表示ボタン１１２０は、栄養指導期間を構成する日ごとに表示される。例えば、栄養指導期間が２０１６年６月〜２０１６年８月までである場合、当該栄養指導期間を構成する日付ごとの日別実施状況表示ボタン１１２０が表示される。日別実施状況表示ボタン１１２０が押下されると、押下された日別実施状況表示ボタン１１２０の日付と対応する日別状況表示画面（後述、図１３）が表示される。
＜月間状況表示画面＞
図１２は、本発明の一実施の形態における、栄養指導支援装置２００により提供される月間状況表示画面の構成例の概要を示す図である。
【００５８】
図１２に示されるように、月間状況表示画面には、当該月における体重の推移を示す体重推移グラフ１２１０と、歩数の推移を示す歩数推移グラフ１２２０と、五色チェック結果（色チェック結果）の合計値を示す五色チェック結果合計値推移グラフ（色チェック結果合計値推移グラフ）１２３０とが表示される。
【００５９】
また、月間状況表示画面には、当該に月を構成する日付ごとの、気分と、体重と、歩数と、五色チェック結果と、食事写真（朝食の食事写真、昼食の食事写真、夕食の食事写真）のサムネイル画像１２４０と日別実施状況表示ボタン１２５０とが対応付けられて一覧で表示される。日別実施状況表示ボタン１２５０が押下されると、日別状況表示画面が表示される。
＜日別状況表示画面＞
図１３は、本発明の一実施の形態における、栄養指導支援装置２００により提供される日別状況表示画面の構成例の概要を示す図である。
【００６０】
図１３に示されるように、日別状況表示画面には、日付と、気分と、歩数と、体重と、行動目標と、コメントと、朝食の食事写真と、昼食の食事写真と、夕食の食事写真とが表示される。また、朝食の食事写真と、時刻と、五色チェック結果と、排便結果とが対応付けて表示される。また、昼食の食事写真と、時刻と、五色チェック結果と、排便結果とが対応付けて表示される。また、夕食の食事写真と、時刻と、五色チェック結果と、排便結果とが対応付けて表示される。
＜食事情報アップロード処理＞
【００６１】
図１４は、本発明の一実施の形態における、食事情報アップロード処理の構成例の概要を示す図である。食事情報アップロード処理は、チャット画面（前述、図８）のアップロード開始ボタン８１０が押下されると開始する。
【００６２】
まず、Ｓ１４０１にて、会員端末３００は、食事情報入力画面（前述、図９）をディスプレイに表示する。そして、会員端末３００は、食事情報入力画面を介して、日時と、食事が朝食・昼食・夕食のいずれであるかを示す食事種別と、コメントと、五色チェック結果と、排便結果と、食事写真を選択する入力とを受け付ける。そして、会員端末３００は、食事情報入力画面に表示されている送信ボタン９７０を押下される入力を受け付ける。
【００６３】
次に、Ｓ１４０２にて、会員端末３００は、自らを識別するための会員識別情報と、Ｓ１４０１にて入力を受け付けた日時と、食事種別と、コメントと、五色チェック結果と、排便結果と、食事写真とを、栄養指導支援装置２００に送信する。
【００６４】
次に、Ｓ１４０３にて、栄養指導支援装置２００は、Ｓ１４０２にて送信された会員識別情報と、Ｓ１４０１にて入力を受け付けた日時と、食事種別と、コメントと、五色チェック結果と、排便結果と、食事写真とを受信する。そして、栄養指導支援装置２００の情報処理部２１０は、Ｓ１４０２にて送信された会員識別情報と、日時と、食事種別と、コメントと、五色チェック結果と、排便結果と、食事写真とを対応付けて、食事情報記憶部２６０に記憶する。
【００６５】
次に、Ｓ１４０４にて、栄養指導支援装置２００の表示処理部２２０は、Ｓ１４０２にて送信された日時と、食事種別と、コメントと、五色チェック結果と、排便結果と、食事写真とを、を含むチャット画面を生成する。
【００６６】
次に、Ｓ１４０５にて、栄養指導支援装置２００の表示処理部２２０は、Ｓ１４０４にて生成したチャット画面を、Ｓ１４０２にて送信された会員識別情報から特定される会員端末３００に提供する。また、栄養指導支援装置２００の表示処理部２２０は、Ｓ１４０２にて送信された会員識別情報をキーに会員情報記憶部２３０を検索し、対応する栄養士識別情報を取得する。そして、栄養指導支援装置２００の表示処理部２２０は、会員情報記憶部２３０から取得した栄養士識別情報から特定される栄養士端末１００に、Ｓ１４０４にて生成したチャット画面を提供する。
＜日別実施状況表示処理＞
【００６７】
図１５は、本発明の一実施の形態における、日別実施状況表示処理の概要を示す図である。日別実施状況表示処理は、例えば、栄養士端末１００のディスプレイに表示される実施状況確認画面（前述、図１１）の日別実施状況表示ボタン１１２０が押下された場合に開始する。
【００６８】
まず、Ｓ１５０１にて、栄養士端末１００は、会員識別情報（日別実施情報表示画面を介して日別の実施状況を確認したい会員の会員識別情報）と、押下された日別実施状況表示ボタン１１２０と対応する日付とを、栄養指導支援装置２００へ送信する。
【００６９】
次に、Ｓ１５０２にて、栄養指導支援装置２００は、Ｓ１５０１にて送信された会員識別情報と日付とを受信する。そして、栄養指導支援装置２００の表示処理部２２０は、会員識別情報と、押下された日別実施状況表示ボタン１１２０と対応する日付とをキーに、食事情報記憶部（前述、図５）２６０を検索し、対応する食事情報をすべて取得する。
【００７０】
次に、Ｓ１５０３にて、栄養指導支援装置２００の表示処理部２２０は、会員識別情報と、押下された日別実施状況表示ボタン１１２０と対応する日付とをキーに、実施状況記憶部２７０を検索し、対応する実施状況をすべて取得する。
【００７１】
次に、Ｓ１５０４にて、栄養指導支援装置２００の表示処理部２２０は、Ｓ１５０１にて取得した食事情報と、Ｓ１５０２にて取得した実施状況とに基づき、日別状況表示画面（前述、図１３）を生成する。より詳細には、表示処理部２２０は、Ｓ１５０２にて取得した食事情報を構成する日付と、時刻と、食事種別と、食事写真と、五色チェック結果と、排便結果と、Ｓ１５０３にて取得した気分と、歩数と、体重と、行動目標と、コメントを含む、日別状況表示画面を生成する。
【００７２】
次に、Ｓ１５０５にて、栄養指導支援装置２００の表示処理部２２０は、生成した日別状況表示画面を栄養士端末（Ｓ１５０１にて会員識別情報と日付とを送信した栄養士端末）１００へ提供する。
次に、Ｓ１５０６にて、栄養士端末１００のディスプレイは、Ｓ１５０５にて提供された日別状況表示画面を表示する。
＜月別実施状況表示処理＞
【００７３】
図１６は、本発明の一実施の形態における、月別実施状況表示処理の概要を示す図である。月別実施状況表示処理は、例えば、栄養士端末１００のディスプレイに表示される実施状況確認画面（前述、図１１）の月別実施状況表示ボタン１１１０が押下された場合に開始する。
【００７４】
まず、Ｓ１６０１にて、栄養士端末１００は、会員識別情報（月別実施情報表示画面を介して月別の実施状況を確認したい会員の会員識別情報）と、押下された月別実施状況表示ボタン１１１０と対応する月とを、栄養指導支援装置２００へ送信する。
【００７５】
次に、Ｓ１６０２にて、栄養指導支援装置２００は、Ｓ１６０１にて送信された会員識別情報と日付とを受信する。そして、栄養指導支援装置２００の表示処理部２２０は、会員識別情報と、押下された日別実施状況表示ボタン１１１０と対応する月とをキーに、食事情報記憶部（前述、図５）２６０を検索し、対応する食事情報（キーとなる月を構成する日付を含む食事情報）をすべて取得する。
【００７６】
次に、Ｓ１６０３にて、栄養指導支援装置２００の表示処理部２２０は、会員識別情報と、押下された日別実施状況表示ボタン１１２０と対応する日付とをキーに、実施状況記憶部２７０を検索し、対応する実施状況をすべて取得する。
【００７７】
次に、Ｓ１６０４にて、栄養指導支援装置２００の表示処理部２２０は、Ｓ１６０３にて取得した各実施状況に含まれる体重に基づき、体重推移グラフ１２１０を生成する。例えば、表示処理部２２０は、各実施状況に含まれる日付を横軸、各実施状況に含まれる体重を縦軸とした体重推移グラフ１２１０を生成する。
【００７８】
次に、Ｓ１６０５にて、栄養指導支援装置２００の表示処理部２２０は、Ｓ１６０３にて取得した各実施状況に含まれる歩数に基づき、歩数推移グラフ１２２０を生成する。例えば、表示処理部２２０は、各実施状況に含まれる日付を横軸、各実施状況に含まれる歩数を縦軸とした歩数推移グラフ１２２０を生成する。
【００７９】
次に、Ｓ１６０６にて、栄養指導支援装置２００の表示処理部２２０は、Ｓ１６０２にて取得した各食事情報に含まれる五色チェック結果に基づき、五色チェック結果合計値推移グラフ１２３０を生成する。詳細には、表示処理部２２０は、日付ごとに、各食事情報に含まれる五色チェック結果の色ごとの合計値を算出する。そして、各食事情報に含まれる日付を横軸、五色チェック結果合計値推移グラフ１２３０を生成する。
【００８０】
次に、Ｓ１６０７にて、栄養指導支援装置２００の表示処理部２２０は、Ｓ１６０２にて受信した各食事情報と、Ｓ１６０３にて受信した各実施状況とに基づき、日別実施状況一覧を生成する。
【００８１】
より詳細には、表示処理部２２０は、Ｓ１６０２にて受信した各食事情報に含まれる日付と、五色チェック結果と、食事写真（朝食の食事写真、昼食の食事写真、夕食の食事写真）と、Ｓ１６０３にて受信した各実施状況に含まれる気分と、体重と、歩数とを対応付けた日別実施状況一覧を生成する。
【００８２】
次に、Ｓ１６０８にて、栄養指導支援装置の表示処理部２２０は、Ｓ１６０４にて生成した体重推移グラフ１２１０と、Ｓ１６０５にて生成した歩数推移グラフ１２２０と、Ｓ１６０６にて生成した五色チェック結果合計値推移グラフ１２３０と、Ｓ１６０７にて生成した日別実施状況一覧とを含む月間状況表示画面（前述、図１２）を生成する。
【００８３】
次に、Ｓ１６０９にて、栄養指導支援装置２００の表示処理部２２０は、生成した月間状況表示画面を栄養士端末（Ｓ１６０１にて会員識別情報と日付とを送信した栄養士端末）１００へ提供する。
次に、Ｓ１６１０にて、栄養士端末１００のディスプレイは、Ｓ１６０９にて提供された月間状況表示画面を表示する。
＜本実施の形態の効果＞
【００８４】
以上説明した本実施の形態によれば、表示処理部２２０が、食事に含まれる各食品の色ごとの品目数についての入力を受け付ける食事情報入力画面を会員端末３００に提供することで、栄養士、会員にとって、食品の栄養バランスを把握しやすくなる。特に、色にてバランスの良い食事を取っているかを把握可能であるため、会員にとって自分が何を食べたかについて記憶に残りやすく、食事のセルフマネジメントが可能になる。
【００８５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８６】
例えば、栄養士端末・会員端末がスマートフォンやタブレット端末である実施形態もある。また、栄養士端末・会員端末は、デスクトップ型のＰＣ（Ｐｅｒｓｏｎａｌ  Ｃｏｍｐｕｔｅｒ）や、ノート型ＰＵや、スマートフォンや、タブレット端末にも、様々な形態の端末を全て含むものである。
【００８７】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【００８８】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００８９】
１００…栄養士端末、  
【００９０】
２００…栄養指導支援装置、２１０…情報処理部、２２０…表示処理部、２３０…会員情報記憶部、２４０…アンケート情報記憶部、２５０…栄養士情報記憶部、２６０…食事情報記憶部、２７０…実施状況記憶部、
３００…会員端末、
４００…管理者端末。
【図１】
2018063503.tif 000003
【図２】
2018063503.tif 000004
【図３】
2018063503.tif 000005
【図４】
2018063503.tif 000006
【図５】
2018063503.tif 000007
【図６】
2018063503.tif 000008
【図７】
2018063503.tif 000009
【図８】
2018063503.tif 000010
【図９】
2018063503.tif 000011
【図１０】
2018063503.tif 000012
【図１１】
2018063503.tif 000013
【図１２】
2018063503.tif 000014
【図１３】
2018063503.tif 000015
【図１４】
2018063503.tif 000016
【図１５】
2018063503.tif 000017
【図１６】
2018063503.tif 000018